(57)【特許請求の範囲】
【請求項１】
鉄筋芯材を軸方向に挿通した鉄筋入り木材により木製パネルを多数枚形成し、該木製パネル同士の鉄筋芯材をパネル連結体を介して連結することにより、内部を収容部とする鉄芯木製枠を形成し、該鉄芯木製枠上に更に鉄芯木製枠を形成して相互に連結することにより地盤から所定の高さに堤体状に積層し、各層の鉄芯木製枠を形成する毎に前記収容部に砕石、土砂、栗石のいずれか１種以上の中詰物を充填してなる堤状構造物。
【請求項２】
堤体状に積層する多数の前記鉄芯木製枠は、前記パネル連結体を縦方向に連結することにより相互に連結してあることを特徴とする請求項１記載の堤状構造物。
【請求項３】
前記堤体状に積層した多数の鉄芯木製枠の前側又は後側に前記木製パネルを前記パネル連結体を介して横方向及び縦方向に連結することにより型枠を構成し、該型枠内にコンクリートを打設して堤状中詰体を成形したことを特徴とする請求項１記載の堤状構造物。
【請求項４】
前記堤状中詰体には、前記鉄芯木製枠側に開口する貫通穴からなる複数の通水口を設けてあることを特徴とする請求項３記載の堤状構造物。
【請求項５】
前記鉄芯木製枠は、前記複数枚の木製パネルを前記パネル連結体を介して横方向及び縦方向に連結することにより平面略格子状に形成して積層してあることを特徴とする請求項１記載の堤状構造物。
【請求項６】
前記木製パネルは、複数本の前記鉄筋入り木材の各々に軸方向と直交する縦方向にロッド挿通穴を形成し、該複数本の鉄筋入り木材を平面状に配列した状態で該ロッド挿通穴に締結ロッドを一体に挿通して連結することにより構成してあることを特徴とする請求項１記載の堤状構造物。
【請求項７】
前記木製パネルは、軸方向と直交する縦方向にロッド挿通穴を穿設した挟装木材を前記鉄筋入り木材と共に平面状に配列し、該ロッド挿通穴に締結ロッドを一体に挿通して連結することにより構成してあることを特徴とする請求項６記載の堤状構造物。
【請求項８】
前記鉄芯木製枠の収容部内面には、網、多孔シート又は多孔板からなる通水性を有する面状防止材を展設してあることを特徴とする請求項１記載の堤状構造物。
【発明の詳細な説明】
【０００１】
【発明の属する技術分野】
本発明は、治山ダム、砂防ダム、傾斜地の土留め体等に用いて好適な堤状構造物に関する。
【０００２】
【従来の技術】
従来の治山ダムは、重力式コンクリートダムが一般的である。重力式コンクリートダムは、鉄筋を用いないで、セメント、砂及び骨材により縦断面略台形状の堤体に成形したものである。また、小規模なダムの場合や山間奥地では木製ダムが用いられている。この木製ダムは図２２に示すように、多数本の木材１０１、１０１、・・・をボルト・ナットで連結して柵状に形成したものを堤状に組み立てることにより枠体１０２を構成し、枠体１０２内に砕石、栗石、土砂等の中詰物１０３を充填して構成したものである。
【０００３】
【発明が解決しようとする課題】
上述した重力式コンクリートダムは、上流側からの土圧や水圧を重量で受けるために相当程度の大きさに成形しなければならないことから、山間部に大きな構築物を設置することになるし、大量のセメントを必要とするという欠点がある。また、山間部にコンクリート面が剥き出しの状態で設置されるため景観を損なうという批判、小動物の移動や植物の繁殖の妨げになるという欠点がある。そこで、景観を少しでも損なわないための対応策としてコンクリートダムの外面、特に前面と上面に木製パネルを張り付けるといった応急処置が採られているが、後付け作業であるために費用が嵩むという問題がある。
【０００４】
また、木製ダムは景観になじむという長所はあるが、木材は５〜６年後には腐朽が始まり、腐朽が始まると強度性が急速に低下するという欠点及びこのために耐用年数が短いという根本的な欠点がある。そして、最後には木製ダム自体が崩壊し、枠体１０２内の砕石、栗石、土砂等の中詰物１０３が下流に流出するために、場合によっては人災に繋るという問題がある。このため、木製ダムは人家や施設のない山間奥地にしか設置できないという欠点と、小規模なダムにしか利用できないという欠点がある。また、木材の組み付けは全て現場で行わなければならないことから、施工期間に日数を要するという欠点もある。
【０００５】
本発明は上述した従来技術の諸欠点に鑑みなされたもので、木材が腐朽しても鋼材からなる枠状骨格が縦方向に連結して形態を保持するので強度性と耐久性に優れているし、外面は木製であるので景観を損なうことがなく、しかも中詰物の流出や落下を防止することができるし、現場での作業量の削減と施工期間の短縮を図ることができる堤状構造物を提供することを目的とする。
【０００６】
【課題を解決するための手段】
上述した課題を解決するために構成された発明の手段は、鉄筋芯材を軸方向に挿通した鉄筋入り木材により木製パネルを多数枚形成し、該木製パネル同士の鉄筋芯材をパネル連結体を介して連結することにより、内部を収容部とする鉄芯木製枠を形成し、該鉄芯木製枠上に更に鉄芯木製枠を形成して前記パネル連結体を介して縦方向に連結することにより地盤から所定の高さに堤体状に積層し、各層の鉄芯木製枠を形成する毎に前記収容部に砕石、土砂、栗石のいずれか１種以上の中詰物を充填したものからなる。
【０００７】
そして、前記鉄芯木製枠は、前記パネル連結体を介して縦方向に連結する構成にするとよい。
【０００８】
また、前記堤体状に積層した多数の鉄芯木製枠の前側又は後側に前記木製パネルを前記パネル連結体を介して横方向及び縦方向に連結することにより型枠を構成し、該型枠内にコンクリートを打設して堤状中詰体を成形するとよい。
【０００９】
また、前記堤状中詰体には、前記鉄芯木製枠側に開口する貫通穴からなる複数の通水口を設けた構成にするとよい。
【００１０】
更に、前記鉄芯木製枠は、前記複数枚の木製パネルを前記パネル連結体を介して横方向及び縦方向に連結することにより平面略格子状に形成して積層した構成にするとよい。
【００１１】
更に、前記木製パネルは、複数本の前記鉄筋入り木材の各々に軸方向と直交する縦方向にロッド挿通穴を形成し、該複数本の鉄筋入り木材を平面状に配列した状態で該ロッド挿通穴に締結ロッドを一体に挿通して連結することにより構成するとよい。
【００１２】
また、前記木製パネルは、軸方向と直交する縦方向にロッド挿通穴を穿設した挟装木材を前記鉄筋入り木材と共に平面状に配列し、該ロッド挿通穴に締結ロッドを一体に挿通して連結することにより構成するとよい。
【００１３】
しかも、前記鉄芯木製枠の収容部内面には、網、多孔シート又は多孔板からなる通水性を有する面状防止材を展設した構成にするとよい。
【００１４】
【発明の実施の形態】
以下、本発明の実施の形態を図面に基づき詳述する。図１乃至図１１は第１の実施の形態を示し、図１は山間部イに設置した治山ダムや砂防ダム用の堤状構造物を示す。図２及び図３において、１は該堤状構造物を構成し、下側を地盤Ａに埋設した状態で地盤Ａから所望の高さに立設した前側木製堤体、２は該前側木製堤体２の後方に下側を地盤Ａに埋設した状態で地盤Ａから所望の高さに立設し、前側木製堤体１と一体に構築した後側木製堤体を示す。
【００１５】
ここで、該前側木製堤体１は後述する多数の鉄芯木製枠１１、１１、・・・を横方向に連結して平面略格子状に構成すると共に縦方向に連結し、前側は３段、中間は６段、後側は９段に積層することにより階段状に構築してあり、後側木製堤体２は多数の鉄芯木製枠１１、１１、・・・を横長長方形に連結して枠体状に構成すると共に縦方向に連結し、１１段に積層することにより構築してある。
【００１６】
１１は鉄芯木製枠で、該鉄芯木製枠１１は多数枚の一側木製パネル１２、１２、・・・及び他側木製パネル１８、１８、・・・と、これらパネル１２、１８を連結するパネル連結体１、１、・・とから構成してある。該一側木製パネル１２は３本の鉄筋入り木材１３、１３、１３と２本の挟装木材１４、１４と、これら木材１３、１４を連結する締結ロッド１５とから構成してある。鉄筋入り木材１３は間伐材を成形した角材からなる木材本体１３Ａに、略中心に軸方向に沿って鉄筋挿通穴１３Ｂを穿設し、軸方向に離間して鉄筋挿通穴１３Ｂと直交した状態で縦方向に一対のロッド挿通穴１３Ｃ、１３Ｃを穿設し、木材本体１３Ａの両端側に鉄筋挿通穴１３Ｂと直交した状態で横方向に芯材挿通穴１３Ｄを穿設し、鉄筋挿通穴１３Ｂに全周に雄ねじを形成した鉄筋芯材１３Ｅを挿通したものからなっている。また、２本の挟装木材１４は前記木材本体１３Ａと同一の長さに形成した木材本体１４Ａに、軸方向に離間して縦方向に一対のロッド挿通穴１４Ｂ、１４Ｂを穿設したものからなっている。
【００１７】
そして、上述した３本の鉄筋入り木材１３、１３、１３と２本の挟装木材１４、１４を交互に平面状に配列し、同軸上にある各ロッド挿通穴１３Ｃ、１４Ｂに締結ロッド１５、１５（一方のみ図示）を一体に挿通して図示しないナットを締結することにより、一側木製パネル１２は１枚のパネル体に形成してある。
【００１８】
次に、図９に他側木製パネル１６を示す。該他側木製パネル１６も３本の鉄筋入り木材１７、１７、１７と２本の挟装木材１８、１８とから形成してある。該鉄筋入り木材１７は前述した鉄筋入り木材１３と同様に木材本体１７Ａに、略中心に位置して軸方向に鉄筋挿通穴１７Ｂを穿設し、軸方向に離間して鉄筋挿通穴１７Ｂと直交する状態で一対のロッド挿通穴１７Ｃ、１７Ｃを穿設し、鉄筋挿通穴１７Ｂに全周に雄ねじを形成した鉄筋芯材１７Ｄを挿通したものからなっている。また、２本の挟装木材１８、１８も前述した挟装木材１４と同様に木材本体１８Ａに一対のロッド挿通穴１８Ｂ、１８Ｂを穿設したものからなっている。そして、３本の鉄筋入り木材１７、１７、１７と２本の挟装木材１８、１８は交互に平面状に配列し、同軸上にある各ロッド挿通穴１７Ｃ、１８Ｂに締結ロッド１９、１９（一方のみ図示）を一体に挿通して図示しないナットを締結することにより、他側木製パネル１６は１枚のパネル体に形成してある。
【００１９】
２０は一側木製パネル１２の幅方向両端側に嵌着した金属製のパネル連結体を示す。該パネル連結体２０は一対の挟持片２０Ａ、２０Ａと、該挟持片２０Ａ、２０Ａを略コ字状に連結する連結片２０Ｂと、該連結片２０Ｂから上方に突出する接続片２０Ｃとを一体に形成し、連結片２０Ｂ及び接続片２０Ｃに芯材通し穴２０Ｄ、２０Ｄ、２０Ｄを穿設したものからなっている。そして、端部の一側木製パネル１２の一側鉄筋芯材１３Ｅを芯材通し穴２０Ｄに挿通して座金を嵌合し、ナットを螺合することにより締着する。また、一側木製パネル１２と他側木製パネル１６は略Ｌ字状に先端を突き合わせ、他側鉄筋芯材１７Ｄを一対の芯材通し穴２０Ｄ、２０Ｄに挿通して座金を嵌合し、ナットを螺合することにより、両パネル２、１６は強固に連結することができる。
【００２０】
なお、一側木製パネル１２を３本の鉄筋入り木材１３と２本の挟装木材１４で構成し、同様に他側木製パネル１６も３本の鉄筋入り木材１７と２本の挟装木材１８で構成したのは、鉄芯木製枠１１に必要な強度性を考慮しつつコスト及び組み立て工数の軽減を図ったことによる。従って、鉄芯木製枠により強度性が求められる場合には、一側及び他側木製パネルの全体を鉄筋入り木材で構成してもよいものである。また、一側及び他側木製パネル１２、１６の構成に使用する鉄筋入り木材１３、１７並びに挟装木材１４、１８の本数は実施の形態に限定されるものではなく、構成する鉄芯木製枠１１の大きさに応じて使用本数は適宜選択できるものである。
【００２１】
かくして、パネル連結体２０は平面状に配列した５本の木材１３、１４をパネル状の形態に一体に支持すると共に、一側木製パネル１２同士或は他側木製パネル１６を強固に連結することができる。また、パネル連結体２０の上端に突出する接続片２０Ｃに上側の一側木製パネル１３の一側鉄筋芯材１３Ｅを挿通してナットを螺合することにより、上下の一側木製パネル１２同士を連結することができる（図７参照）。
【００２２】
次に、上述した一側木製パネル１２と他側木製パネル１６を連結して堤状構造物を構築する工程について説明する。図６及び図７に示すように、上述した一側木製パネル１２同士は先端面を突合わせ、各鉄筋芯材１３Ｅの先端側に高ナット２１を螺着して隣接する各鉄筋芯材１３Ｅを螺合することにより直線方向に連結する。また、他側木製パネル１６は先端面を一側木製パネル１２の側面に突合わせた状態にして鉄筋芯材１７Ｄを一側木製パネル１２の芯材挿通穴１３Ｄに挿通し、先端側に高ナット２１を螺着して他の他側木製パネル１６の鉄筋芯材１７Ｄと連結する。なお、連結が不要な場合は高ナット２４に替えてナットを締着する。このようにして多数枚の一側木製パネル１２、１２、・・・と他側木製パネル１６、１６、・・・を略格子状に連結することにより、四角形の多数の収容部１１Ａ、１１Ａ、・・・が画成された鉄芯木製枠１１を構成する。
【００２３】
２２は各収容部１１Ａの内面に展設した通水性のある面状防止材を示す。該面状防止材２２は金網、合成繊維製網、多孔シート、多孔板等の通水性のある素材からなり、後述する中詰物２３が鉄芯木製枠１１から流出したり落下するのを防止するためのものである。なお、通水性を必要とするのは、鉄芯木製枠１１内に沢水や雨水が滞留しないように排水性を持たせるためである。また、面状防止材２２は中詰物２３の種類により必要に応じて用いればよいものである。
【００２４】
２３は収容部１１Ａに充填した中詰物で、該中詰物２３には栗石、土砂、砕石等があり、鉄芯木製枠１１の設置位置に応じて１種又は複数種を充填している。
【００２５】
上述の如く構成される鉄芯木製枠１１は先ず、地盤Ａを掘削して１段目の鉄芯木製枠１１を設置し、各収容部１１Ａ内に中詰物２３として土砂を充填して上面を均す（図４及び図５参照）。次に、上記と同様にして多数枚の一側木製パネル１２、１２、・・・と他側木製パネル１６、１６、・・・をパネル連結体２０を介して連結し２段目の鉄芯木製枠１１を組み立てる。そして、下段と上段の一側木製パネル１２、１２はパネル連結体２０の連結片２０Ｃを介して連結する。上述の如くして設置した２段目の鉄芯木製枠１１の収容部１１Ａに面状防止材２２を展設して中詰物２３として玉石を充填する。このようにして、鉄芯木製枠１１を必要な高さにまで積層し、各段の収容部１１Ａ内に中詰物２３の玉石を充填することにより、前側木製堤体１を構築する。
【００２６】
次に、後側木製堤体２を構築する工程について説明する。該後側木製堤体２を構成する鉄芯木製枠３１は、多数枚の一側木製パネル１２、１２、・・・と他側木製パネル１６、１６、・・・を図２に示すように横長の四角形に連結して地盤Ａに埋設した状態で設置し、鉄筋芯材１３Ｅにより前側木製堤体１の鉄芯木製枠１１と連結する。そして、形成される収容部３１Ａに面状防止材２２を展設して中詰物２３として土砂を充填することにより１段目を形成する。同様にして２段目以降の鉄芯木製枠３１を設置し、パネル連結体２０の連結片２０Ｃを介して１段目の鉄芯木製枠３１と連結する。このようにして各段の鉄芯木製枠３１を形成する毎に収容部３１Ａに面状防止材２２の展設と中詰物２３として玉石の充填を行って所望の高さにまで積層することにより後側木製堤体２を構築する。なお、後側木製堤体３は前側木製堤体２の略２列の奥行を有する大きな形状に鉄芯木製枠３１を形成してあるので、収容部３１Ａは鉄芯木製枠１１の収容部１１Ａのように複数に区画していない。
【００２７】
本実施の形態からなる堤状構造物は、鉄芯木製枠１１を構成する一側木製パネル１２及び他側木製パネル１６には間伐材を用いることにより、少ない費用で構築することができる。また、鉄芯木製枠１１を構成する一側木製パネル１２と他側木製パネル１６の鉄筋芯材１３Ｅ、１７Ｄ及びパネル連結体２０、２０、・・によって鋼材からなる枠状骨格を構成しているから、図１０及び図１１に示すように、木材本体１３Ａ、１４Ａ、１７Ａ、１８Ａが腐朽しても、鉄芯木製枠１１、３１は枠体状の形態を保持することにより、中詰物２３が流出したり落下するのを可及的に防止することができる。
【００２８】
しかも、鉄芯木製枠１１を構成するパネル連結体２０は上側の鉄芯木製枠１１のパネル連結体２０と連結することにより、前側及び後側木製堤体１、２の全長にわたって多数本の鉄柱を立設したのと同様の構造になるから、極めて高い強度性を有する。また、収容部１１Ａに面状防止材２２を展設することにより、比較的小さい中詰物２３が流出したり落下するのを防止して堤状構造物が経年による脆弱化を防止することができる。
【００２９】
更に、本実施の形態によれば、一側木製パネル１２と他側木製パネル１６をパネル連結体２０を介して連結することにより鉄芯木製枠１１、３１は容易に形成することができ、この鉄芯木製枠１１、３１を横方向、前後方向及び高さ方向に順次列設することにより、所望の形態の堤状構造物を容易に構築することができる。
【００３０】
なお、上述した実施の形態では前側木製堤体１と後側木製堤体２は格別に構築するものとして述べたが、両者を初めから一体に構築してもよいものである。
【００３１】
次に、第２の実施の形態について図１２乃至図２１に基づき詳述する。なお、前述した第１の実施の形態の構成要素と同一の構成要素には同一の符号を付して援用し、その説明を省略する。図において、４１は堤状構造物を構成し、地盤Ａに埋設した状態で成形したコンクリート製の基礎、４２は該基礎４１上に構築した前側木製堤体、４３は該前側木製堤体４２から後方、換言すれば山間部イの上流側に離間して基礎４１上に構築した後側木製堤体で、該後側木製堤体４３と前側木製堤体４２との間には連結材として複数本の鉄筋芯材１３Ｅ、１３Ｅ、・・・が幅方向及び高さ方向に離間して架設してあり、両堤体４２、４３は一体化して構築してある。４４は後側木製堤体４３と前側木製堤体４２を型枠としてコンクリートを打設して成形した堤状中詰体である。
【００３２】
前記前側木製堤体４２は後述する多数の鉄芯木製枠５１、５１、・・・を横方向に連結して平面略格子状に構成すると共に縦方向に連結し、前側は２段、中間は５段、後側は８段に階段状に積層し、各鉄芯木製枠５１の収容部５１Ａ内に面状防止材２２を展設し、中詰物２３を充填することにより構築してある。また、後側木製堤体４３は多数の鉄芯木製枠５１、５１、・・・を横方向と縦方向に連結して１０段に積層し、各収容部５１Ａ内に面状防止材２２を展設し、中詰物２３を充填することにより構築してある。
【００３３】
ここで、鉄芯木製枠５１は複数枚の一側木製パネル５２と他側木製パネル１６を連結して構成したものからなるので、先ずこの一側木製パネル５２について説明する。一側木製パネル５２は、図１７に示すように３本の鉄筋入り木材５３、５３、５３と２本の挟装木材５４、５４とから形成してある。そして、鉄筋入り木材５３は間伐材を成形した角材からなる木材本体５３Ａに、略中心に軸方向に沿って鉄筋挿通穴５３Ｂを穿設し、軸方向両端側に位置して鉄筋挿通穴５２Ｂと直交した状態で縦方向に一対の連結体収容穴５３Ｃ、５３Ｃを穿設し、該一対の連結体収容穴５３Ｃ、５３Ｃの内側寄りに位置して軸方向に離間して鉄筋挿通穴５３Ｂと直交した状態で縦方向に一対のロッド挿通穴５３Ｄ、５３Ｄを穿設し、木材本体５３Ａの両端側に鉄筋挿通穴５３Ｂと直交した状態で横方向に芯材挿通穴５３Ｅを穿設し、木材本体５３Ａの鉄筋挿通穴５３Ｂに全周に雄ねじを形成した鉄筋芯材５３Ｆを挿通したものからなっている。
【００３４】
また、２本の挟装木材５４、５４は前記木材本体５３Ａと同一の長さに形成した木材本体５４Ａに、軸方向両端側に位置して縦方向に一対の連結材収容穴５４Ｂ、５４Ｂを穿設し、該一対の連結体収容穴５４Ｂ、５４Ｂの内側寄りに位置して軸方向に離間して縦方向に一対のロッド挿通穴５４Ｃ、５４Ｃを穿設したものからなっている。
【００３５】
そして、上述した３本の鉄筋入り木材５３、５３、５３と２本の挟装木材５４、５４を交互に平面状に配列し、同軸上にある各ロッド挿通穴５３Ｄ、５４Ｂに締結ロッド１５、１５（一方のみ図示）を一体に挿通して締結することにより、一側木製パネル５２は１枚のパネル体に形成してある。
【００３６】
５５は上述の如くして形成した一側木製パネル５２と他側木製パネル１６を連結するためのパネル連結体を示す。該パネル連結体５５は図１８及び図１９に示すように、一側片５５Ａ及び他側片５５Ｂを有するＬ型鋼材片からなり、該一側片５５Ａには鉄筋芯材５３Ｆを挿通するための３個の長孔５５Ｃ、５５Ｃ、５５Ｃを長手方向に離間して穿設し、他側片５６Ｂには鉄筋芯材１７Ｄを挿通するための３個の長孔５５Ｄ、５５Ｄ、５５Ｄを長手方向に離間して穿設したものからなっている。そして、パネル連結体５５はパネル体に一体化した状態の鉄筋入り木材５３と挟装木材５４の連結体収容穴５３Ｃ、５４Ｂにかけて挿通し、各長孔５５Ｃに鉄筋芯材５３Ｆ、各長孔５５Ｄに鉄筋芯材１７Ｄを挿通して先端側に座金を嵌合してナットを螺着することにより、鉄芯木製枠５１が形成してある。
【００３７】
上述の如くして鉄芯木製枠５１を形成し、各段の鉄芯木製枠５１の収容部５１Ａに面状防止材２２を展設して中詰物２３を充填する工程を繰り返して積層することにより前側木製堤体４２を基礎４１上に構築する。この場合、下側と上側に位置する鉄芯木製枠５１、５１同士の連結には金属製の連結プレート５６を用いる。該連結プレート５６は縦長長方形のプレート本体５６Ａに、下側と上側の両鉄筋芯材５３Ｆ、５３Ｆが嵌入する一対の嵌合穴５６Ｂ、５６Ｂを形成したものである（図１６参照）。なお、嵌合穴５６Ｂは縦方向の長穴に形成してあり、鉄筋芯材５３Ｆの若干の屈曲変形や木材本体５３Ａの収縮等による嵌合位置のずれに対応できるようにしてある。
【００３８】
次に、前記前側木製堤体４２から後方に離間して基礎Ａ上に構築する後側木製堤体４３は、前側木製堤体４２と同様の工程で構築してある。そして、前側木製堤体４２と後側木製堤体４３との間には、堤体連結材として複数本の鉄筋芯材５３Ｆ、５３Ｆ、・・・が幅方向及び高さ方向に適宜の間隔で架設してある。なお、該各鉄筋芯材５３Ｆは両端が前側木製堤体４２及び後側木製堤体４３を構成する鉄筋芯材５３Ｆと高ナット２１を介して連結してある。また、前側木製堤体４２及び後側木製堤体４３を構成し、基礎４１上に設置する鉄芯木製枠５１、５１は基礎４１に植設した固定ロッド５７、５７、・・・に各締結ロッド１５、１９を高ナットを介して連結することにより、前側木製堤体４２及び後側木製堤体４３を基礎４１に対して固定してある。
【００３９】
上述の如くして構築した前側木製堤体４２と後側木製堤体４３の間には、両堤体４２、４３を型枠としてコンクリート製の堤状中詰体４４が成形してある。該コンクリート製の堤状中詰体４４は堤状構造物の強度性を高めるためのもので、前側木製堤体４２と後側木製堤体４３の両側を一側木製パネル５２、５２、・・・で閉塞することにより形成した型枠６１内に基礎４１から多数本の縦筋４４Ａ、４４Ａ、・・・を適宜の間隔で立設し、該縦筋４４Ａと直交した状態で複数本の横筋４４Ｂ、４４Ｂ、・・・を配設し、コンクリート４４Ｃを後側木製堤体４３と同じ高さまで打設することにより成形してある。そして、堤状中詰体４４には、前側木製堤体４２と後側木製堤体４３に向けて開口する複数の通水口４５、４５、・・・が幅方向及び高さ方向に離間して形成してあり、堤状中詰体４４によって上流側からの排水性が損なわれないようにしてある。
【００４０】
本実施の形態によれば、多数の鉄芯木製枠５１、５１、・・・で構成する前側木製堤体４２と後側木製堤体４３の間にコンクリート製の堤状中詰体４４を設けたから、従来技術の重力式コンクリートダムとは異なって景観を損なうことがないし、水圧や土圧を受承するから高い強度性に優れている。
【００４１】
また、堤状中詰体４４は、内部に多数本の鉄筋芯材５３Ｆ、５３Ｆ、・・・、縦筋４４Ａ、４４Ａ、・・・及び横筋４４Ｂ、４４Ｂ、・・・が埋設した状態になっているので、前側木製堤体４２及び後側木製堤体４３と一体化することにより高い強度性と安定性を有している。
【００４２】
また、図２０に示すように、鉄芯木製枠５１の木材本体５３Ａ、１７Ａが腐朽しても、鉄筋芯材５３Ｆ、５３Ｆ、・・・とパネル連結体５５、５５、・・からなる枠状骨格の形態を保持するから、第１の実施の形態と同様に中詰物２３が流出したり落下したりすることがないし、堤状中詰体４４が水圧や土圧を受承するから強度性と耐久性に優れている。
【００４３】
なお、第１及び第２の実施の形態において、鉄芯木製枠１１、３１、５１を構成する一側木製パネル１２、５２及び他側木製パネル１６の挟装木材１４、１８、５４は鉄筋入り木材１３、１７、５３と同じ長さに設定したが、ブロック状の木材を締結ロッド１５、１９で固定して鉄筋入り木材５２、５２間に横方向に間隔を設けて挟装し、複数の開口を有する一側木製パネル１２、５２及び他側木製パネル１６に構成してもよい。このように構成することにより、当該開口に植物が定着して繁殖することによるパネル全体の緑化に有効であるし、鳥や小動物の棲息場ともなるので自然環境の保全に有効である。
【００４４】
【発明の効果】
本発明は以上詳述した如く構成したから、下記の諸効果を奏する。
（１）堤状構造物は、鉄芯木製枠を形成して中詰物を充填する工程を繰り返すことにより積層する構成にしたから、所望の横幅、奥行及び高さの任意の形態の堤状構造物を大規模な工事によらずに構築することができる。
（２）堤状構造物を構成する鉄芯木製枠は木製パネルの鉄筋芯材をパネル連結体で連結する構成にしたから、木材本体が腐朽しても枠状骨格が残ることにより中詰物の流出や落下を防止することができるし、この中詰物が流出や落下することによって堤状構造物が経年により脆弱化するのを防止することができる。
（３）木製パネルを連結して鉄芯木製枠を組み立てるパネル連結体によって、鉄芯木製枠を縦方向に連結する構成にすることにより、堤状構造物は高さ方向の全長にわたって多数本の鉄柱を立設したのと同様の構造になるから、極めて高い強度性を有することができる。
（４）鉄芯木製枠は、予め工場で成形した木製パネルを現場で連結することにより形成するだけであるから、現場での施工期間を短くできるし、工事費を低減することができる。
（５）堤状構造物は短期間で構築することができるから、土砂崩れや地滑り地帯等の災害の応急復旧に用いたり、仮設の堤体として用いることができる。
（６）堤状構造物を構成する中詰物は多数の鉄芯木製枠に区々に充填してあるから、仮に一部の鉄芯木製枠が損壊した場合でも中詰物の流出や崩落が起きても被害を最小限にすることができるから安全性に優れている。
（７）コンクリート製の堤状中詰体を、堤体状に積層した鉄筋木製枠の前側又は後側に成形する構成にすることにより、土圧や水圧に対する強度性が高く、また耐久性に優れている堤状構造物にすることができる。また、堤状中詰体の前側又は後側を鉄芯木製枠で覆った形態になるから、景観を損なうことがないし、小動物の棲息に適した環境を維持することができる。
（８）コンクリート製の堤状中詰体に多数の通水口を設けて上流側からの水を下流側に逃がすようにしたから、コンクリート製堤体に過剰な水圧が掛かることがないので安全性に優れていると共に、小動物に適応した棲息環境を提供することができる。
（９）木製パネルは、鉄筋入り木材のみから構成することも、鉄筋入り木材と木材単体を複合して構成することも可能に構成してあるから、構築する堤状構造物の強度性を考慮して木製パネルに適宜使い分けることができる。
（１０）鉄芯木製枠の収容部内面に通水性の面状防止材を展設したから、小石等の中詰物の流出や落下をより確実に防止することができると共に、堤状構造物の経年による脆弱化を防止することができる。
【図面の簡単な説明】
【図１】図１乃至図１１は本発明の第１の実施の形態に係り、図１は山間に設置した堤状構造物の正面図である。
【図２】堤状構造物の部分断面斜視図である。
【図３】堤状構造物の縦断面図である。
【図４】堤状構造物を構成する鉄芯木製枠の設置工程を示す説明図である。
【図５】堤状構造物を構成する鉄芯木製枠の他の設置工程を示す説明図である。
【図６】鉄芯木製枠の部分平面図である。
【図７】鉄芯木製枠の部分側面図である。
【図８】一側木製パネルの一部を破断にして示す斜視図である。
【図９】他側木製パネルの一部を破断にして示す斜視図である。
【図１０】経年に伴う鉄芯木製枠の腐朽状態を示す説明図である。
【図１１】鉄芯木製枠の木材本体が完全に腐朽した状態を示す説明図である。
【図１２】図１２乃至図２１は第２の実施の形態に係り、図１２は堤状構造物の部分断面斜視図である。
【図１３】堤状構造物の縦断面図である。
【図１４】図１３中のＩ−Ｉ矢示方向部分断面図である。
【図１５】鉄芯木製枠の部分平面図である。
【図１６】鉄芯木製枠の部分側面図である。
【図１７】一側木製パネルの一部を破断にして示す斜視図である。
【図１８】一側木製パネルの部分平面図である。
【図１９】鉄筋芯材とパネル連結体の結合状態を示す部分拡大図である。
【図２０】経年に伴う鉄芯木製枠の腐朽状態を示す説明図である。
【図２１】鉄芯木製枠の木材本体が完全に腐朽した状態を示す説明図である。
【図２２】従来技術に係る木製ダムの外観斜視図である。
【符号の説明】
１１、３１、５１      鉄芯木製枠
１１Ａ、３１Ａ、５１Ａ    収容部
１２、５２            一側木製パネル
１３、１７、５３      鉄筋入り木材
１３Ｅ、１７Ｄ、５３Ｆ  鉄筋芯材
１６                  他側木製パネル
２０、５５            パネル連結体
２２                  面状防止材
２３                  中詰体
４１                  基礎
４４                  堤状中詰体
４５                  通水口
【図１】
0003713688.tif 000002
【図２】
0003713688.tif 000003
【図３】
0003713688.tif 000004
【図４】
0003713688.tif 000005
【図５】
0003713688.tif 000006
【図６】
0003713688.tif 000007
【図７】
0003713688.tif 000008
【図８】
0003713688.tif 000009
【図９】
0003713688.tif 000010
【図１０】
0003713688.tif 000011
【図１１】
0003713688.tif 000012
【図１２】
0003713688.tif 000013
【図１３】
0003713688.tif 000014
【図１４】
0003713688.tif 000015
【図１５】
0003713688.tif 000016
【図１６】
0003713688.tif 000017
【図１７】
0003713688.tif 000018
【図１８】
0003713688.tif 000019
【図１９】
0003713688.tif 000020
【図２０】
0003713688.tif 000021
【図２１】
0003713688.tif 000022
【図２２】
0003713688.tif 000023